(57)【要約】【課題】電子書類の総頁数が増大しても、無理なく操作することができ、閲覧したい頁を迅速に表示することのできる電子書類閲覧装置等を提供する。【解決手段】電子書類の複数の頁の各頁に第１のタグを付加し、第１のタグのいずれかを選択することにより、選択された第１のタグに関連する頁を画面上に表示可能とし、所定の条件の下で、複数の第１のタグをグループ化して新たな複数の第２のタグを作成して画面上に選択可能に表示し、複数の第２のタグのいずれかを選択することにより、選択された第２のタグのグループに属する複数の第１のタグのいずれかを選択可能に画面上に表示する。この所定の条件は、複数の頁に付加した第１のタグをすべて画面上に表示した場合に、各第１のタグの高さが所定の値以下となること等とすることができる。【選択図】  図３
2005010979.tif 000002
【特許請求の範囲】
【請求項１】
複数の頁を有する電子書類を閲覧する装置の頁めくり方法であって、
前記複数の頁の各頁に第１のタグを付加し、
該第１のタグのいずれかを選択することにより、選択された第１のタグに関連する頁を画面上に表示可能とし、
所定の条件の下で、前記複数の第１のタグをグループ化して新たな複数の第２のタグを作成して画面上に選択可能に表示し、
該複数の第２のタグのいずれかを選択することにより、選択された第２のタグのグループに属する複数の前記第１のタグのいずれかを選択可能に画面上に表示することを特徴とする電子書類閲覧装置の頁めくり方法。
【請求項２】
前記所定の条件は、前記複数の頁に付加した第１のタグをすべて画面上に表示した場合に、各第１のタグの高さが所定の値以下となることであることを特徴とする請求項１記載の電子書類閲覧装置の頁めくり方法。
【請求項３】
前記選択された第２のタグのグループに属する複数の前記第１のタグのいずれかを選択し、該第１のタグに関連する頁を画面上に表示した際に、戻りタグを同時に画面上に表示し、
該戻りタグを選択することにより、前記複数の第２のタグのいずれかを選択可能に画面上に表示することを特徴とする請求項１または２記載の電子書類閲覧装置の頁めくり方法。
【請求項４】
複数の頁を有する電子書類を閲覧する装置であって、
前記複数の頁の各頁に第１のタグを付加する第１タグ付加手段と、
該第１タグ付加手段によって付加された第１のタグのいずれかを選択することにより、選択された第１のタグに関連する頁を画面上に表示する第１表示手段と、
所定の条件の下で、前記複数の第１のタグをグループ化して新たな複数の第２のタグを作成して画面上に選択可能に表示する第２タグ作成表示手段と、
該第２タグ作成表示手段によって作成表示された複数の第２のタグのいずれかを選択することにより、選択された第２のタグのグループに属する複数の前記第１のタグのいずれかを選択可能に画面上に表示する第２表示手段とを備えることを特徴とする電子書類閲覧装置。
【請求項５】
前記所定の条件は、前記第１タグ付加手段によって付加された第１のタグをすべて画面上に表示した場合に、各第１のタグの高さが所定の値以下となることであることを特徴とする請求項４記載の電子書類閲覧装置。
【請求項６】
前記第２表示手段によって選択された第２のタグのグループに属する複数の前記第１のタグのいずれかを、前記第１表示手段によって選択し、該第１のタグに関連する頁を画面上に表示した際に、戻りタグを同時に画面上に表示する戻りタグ表示手段と、
該戻りタグ表示手段によって表示された戻りタグを選択することにより、前記複数の第２のタグのいずれかを選択可能に画面上に表示する画面切替手段とを備えることを特徴とする請求項４または５記載の電子書類閲覧装置。
【請求項７】
ネットワークから画像を受信するイメージ受信部と、該イメージ受信部で受信した画像をデコードするイメージデコード部と、該イメージデコード部でデコードしたイメージを保存するイメージライブラリと、該イメージライブラリから画像を取得してディスプレイ出力装置に画像を表示する描画部と、装置全体を制御するメイン処理部とを備え、
該メイン処理部は、
前記ディスプレイ出力装置に表示される複数の頁の各頁に第１のタグを付加する第１タグ付加手段と、
該第１タグ付加手段によって付加された第１のタグのいずれかを選択することにより、選択された第１のタグに関連する頁を画面上に表示する第１表示手段と、
所定の条件の下で、前記複数の第１のタグをグループ化して新たな複数の第２のタグを作成して画面上に選択可能に表示する第２タグ作成表示手段と、
該第２タグ作成表示手段によって作成表示された複数の第２のタグのいずれかを選択することにより、選択された第２のタグのグループに属する複数の前記第１のタグのいずれかを選択可能に画面上に表示する第２表示手段とを備えることを特徴とする電子新聞閲覧装置。
【発明の詳細な説明】
【０００１】
【発明の属する技術分野】
本発明は、電子書類閲覧装置の頁めくり方法に関し、特に、電子新聞等の頁閲覧を迅速に行うための電子書類閲覧装置の頁めくり方法に関する。
【０００２】
【従来の技術】
従来、電子新聞等の電子書類を閲覧するための装置に用いられる頁めくり方法として、図１及び図２に示すように、複数頁から構成されている電子新聞等の各頁に、頁番号が記された頁タグを付加し、この頁タグをマウスでクリックするか、タッチパネル式のモニタであれば指で触れることで、迅速かつ簡単に該当の頁を閲覧する方法が種々提案されている（例えば、特許文献１、２参照）。
【０００３】
【特許文献１】
特許第３１２１３８４号公報
【０００４】
【特許文献２】
特開平８−２８６８８２号公報
【０００５】
【発明が解決しようとする課題】
しかし、上記従来の電子書類閲覧装置の頁めくり方法では、例えば、元旦に配達される新聞等は頁数が多いため、図１のように各ページを示すタグを付加すると、一つ当たりの頁タグの寸法が小さくなり、マウス（タッチパネル式の場合には、指等）等のポインティングデバイスで操作することが困難になるという問題があった。
【０００６】
そこで、本発明は、上記従来の技術における問題点に鑑みてなされたものであって、総頁数が増大しても、無理なく操作することができるとともに、閲覧したい頁を迅速に表示することができる電子書類閲覧装置の頁めくり方法を提供することを目的とする。
【０００７】
【課題を解決するための手段】
上記目的を達成するため、本発明は、複数の頁を有する電子書類を閲覧する装置の頁めくり方法であって、前記複数の頁の各頁に第１のタグを付加し、該第１のタグのいずれかを選択することにより、選択された第１のタグに関連する頁を画面上に表示可能とし、所定の条件の下で、前記複数の第１のタグをグループ化して新たな複数の第２のタグを作成して画面上に選択可能に表示し、該複数の第２のタグのいずれかを選択することにより、選択された第２のタグのグループに属する複数の前記第１のタグのいずれかを選択可能に画面上に表示することを特徴とする。
【０００８】
そして、本発明によれば、複数の第１のタグをグループ化した複数の第２のタグのいずれかを選択することにより、選択された第２のタグのグループに属する複数の前記第１のタグのいずれかを選択可能に画面上に表示することができるため、閲覧したい頁を迅速に表示することができる。
【０００９】
前記電子書類閲覧装置の頁めくり方法において、前記所定の条件は、前記複数の頁に付加した第１のタグをすべて画面上に表示した場合に、各第１のタグの高さが所定の値以下となることとすることができる。
【００１０】
一つ当たりの第１のタグの高さが低いと、マウスやタッチパネル等のポインティングデバイスでの操作が困難となるが、複数の第１のタグをグループ化した複数の第２のタグのいずれかを選択し、選択された第２のタグのグループに属する複数の前記第１のタグのいずれかを選択可能に画面上に表示することにより、ポインティングデバイスでのクリック領域の極小化を防止し、操作性を向上させることができる。
【００１１】
また、前記電子書類閲覧装置の頁めくり方法において、前記選択された第２のタグのグループに属する複数の前記第１のタグのいずれかを選択し、該第１のタグに関連する頁を画面上に表示した際に、戻りタグを同時に画面上に表示し、該戻りタグを選択することにより、前記複数の第２のタグのいずれかを選択可能に画面上に表示することが好ましい。
【００１２】
これによって、画面上に、複数の第２のタグを選択可能に表示した状態と、選択された第２のタグのグループに属する複数の前記第１のタグのいずれかを選択可能に表示した状態とをワンタッチで切り替えることができるため、閲覧したい頁をより迅速に表示することができる。
【００１３】
さらに、本発明は、複数の頁を有する電子書類を閲覧する装置であって、前記複数の頁の各頁に第１のタグを付加する第１タグ付加手段と、該第１タグ付加手段によって付加された第１のタグのいずれかを選択することにより、選択された第１のタグに関連する頁を画面上に表示する第１表示手段と、所定の条件の下で、前記複数の第１のタグをグループ化して新たな複数の第２のタグを作成して画面上に選択可能に表示する第２タグ作成表示手段と、該第２タグ作成表示手段によって作成表示された複数の第２のタグのいずれかを選択することにより、選択された第２のタグのグループに属する複数の前記第１のタグのいずれかを選択可能に画面上に表示する第２表示手段とを備えることを特徴とする。
【００１４】
そして、本発明によれば、該第１タグ付加手段によって付加された複数の第１のタグを、第２タグ作成表示手段によってグループ化し、第２表示手段によって複数の第２のタグのいずれかを選択することにより、選択された第２のタグのグループに属する複数の前記第１のタグのいずれかを選択可能に画面上に表示することができるため、閲覧したい頁を迅速に表示することができる。
【００１５】
また、前記電子書類閲覧装置において、前記所定の条件は、前記第１タグ付加手段によって付加された第１のタグをすべて画面上に表示した場合に、各第１のタグの高さが所定の値以下となることとすることができる。
【００１６】
これによって、上述のように、ポインティングデバイスでのクリック領域の極小化を防止し、電子書類閲覧装置の操作性を向上させることができる。
【００１７】
さらに、前記電子書類閲覧装置において、前記第２表示手段によって選択された第２のタグのグループに属する複数の前記第１のタグのいずれかを、前記第１表示手段によって選択し、該第１のタグに関連する頁を画面上に表示した際に、戻りタグを同時に画面上に表示する戻りタグ表示手段と、該戻りタグ表示手段によって表示された戻りタグを選択することにより、前記複数の第２のタグのいずれかを選択可能に画面上に表示する画面切替手段とを備えることが好適である。
【００１８】
これによって、画面上に、複数の第２のタグを選択可能に表示した状態と、選択された第２のタグのグループに属する複数の前記第１のタグのいずれかを選択可能に表示した状態とをワンタッチで切り替えることができるため、閲覧したい頁をより迅速に表示することができる。
【００１９】
また、本発明は、電子新聞閲覧装置であって、ネットワークから画像を受信するイメージ受信部と、該イメージ受信部で受信した画像をデコードするイメージデコード部と、該イメージデコード部でデコードしたイメージを保存するイメージライブラリと、該イメージライブラリから画像を取得してディスプレイ出力装置に画像を表示する描画部と、装置全体を制御するメイン処理部とを備え、該メイン処理部は、前記ディスプレイ出力装置に表示される複数の頁の各頁に第１のタグを付加する第１タグ付加手段と、該第１タグ付加手段によって付加された第１のタグのいずれかを選択することにより、選択された第１のタグに関連する頁を画面上に表示する第１表示手段と、所定の条件の下で、前記複数の第１のタグをグループ化して新たな複数の第２のタグを作成して画面上に選択可能に表示する第２タグ作成表示手段と、該第２タグ作成表示手段によって作成表示された複数の第２のタグのいずれかを選択することにより、選択された第２のタグのグループに属する複数の前記第１のタグのいずれかを選択可能に画面上に表示する第２表示手段とを備えることを特徴とする。
【００２０】
本発明にかかる電子新聞閲覧装置によれば、元旦に配達される新聞等、総頁数の多い場合であっても、各頁に付加される第１のタグをグループ化して新たな複数の第２のタグを画面上に選択可能に表示することにより、無理なく操作することができるとともに、閲覧したい頁を迅速に表示することができる。
【００２１】
【発明の実施の形態】
次に、本発明の実施の形態について図面を参照しながら説明する。尚、以下の説明においては、本発明にかかる電子書類閲覧装置の頁めくり方法を電子新聞閲覧装置に適用した場合を例にとって説明する。
【００２２】
この電子新聞閲覧装置は、図１１に示すように、ネットワークから画像を受信するイメージ受信部１１０１と、画像をデコードするイメージデコード部１１０２と、デコードしたイメージを保存するイメージライブラリ１１０３と、ユーザからの操作を解析する操作解析部１１０４と、イメージライブラリから画像を取得してディスプレイ出力装置に画像を表示する描画部１１０５と、これらの処理を統括するメイン処理部１１０６とで構成される。
【００２３】
次に、上記構成を有する電子新聞閲覧装置の動作について、図面を参照しながら詳細に説明する。
【００２４】
図３は、本発明適用時の画面イメージである。図１に示すように全頁を一度に表示し、画面上での１つのタグの縦寸法が１５ｍｍ以下となる場合には、頁めくり操作が困難になるため、タグをグルーピングする。
【００２５】
グルーピングは、図３に示すように、「１−５」「６−１０」「１１−１５」「１６−１７」と、頁グルーピングしたタグ（以下、「グルーピングタグ」と呼ぶ）を表示することで実現する。「１−５」のグルーピングタグをクリックすると、図４に示すように、１〜５頁のタグ及び「戻」タグが展開され、２頁目を閲覧したい場合には、２頁タグをクリックすれば、２頁目を簡単に閲覧することができる。また、図４の上部に位置する「戻」タグをクリックすることで、再びグルーピングタグ表示した状態（図３の状態）に戻すことができる。
【００２６】
このように、タグをグルーピング化することにより、ページ増大によるタグの極小化を防止し、操作性の向上を図ったのが本発明の特徴である。
【００２７】
以下に、タグのグルーピング化の方法について、図面を用いて詳細に説明する。
【００２８】
（１）アプリケーション起動時の自動グルーピング化
まず、アプリケーション起動時の自動グルーピング化動作を図５のフローチャートを用いて説明する。
【００２９】
ユーザが当該アプリケーションを起動すると、ステップＳ５０１に遷移し、表示装置の縦横ドット数（例えば、７６８ドット×１０２４ドットや、１２００ドット×１６００ドット等）を取得し、実際に紙面を表示する領域の高さＳＨ（図６参照）をドット数で算出する。このＳＨは、表示装置の高さＤＹ（表示装置の縦方向ドット）から、上下にタイトル等を表示させるための余白「６０×２」ドット（固定値）を引いたものとなる。
【００３０】
次に、ステップＳ５０２において、１ｍｍ当たりのドット数ＤＰＭを取得する。表示装置の大きさがＸインチ型の場合には、図７に示すように、表示装置の対角線がＸインチとなる。幅を辺ａ、高さを辺ｂ、対角線を辺ｃとすると、辺ａと辺ｂの間に直角を持つ直角三角形と考えることができる。従って、三平方の定理より、辺ｃのドット数ＤＤは、次式で算出できる。
【００３１】
【数１】
2005010979.tif 000003
【００３２】
１インチは２５．４ｍｍであり、辺ｃの長さはＸインチであることから、１ｍｍ当たりのドット数ＤＰＭは、次式で求められる。
【００３３】
１ｍｍ当たりのドット数ＤＰＭ＝（辺ｃのドット数ＤＤ／Ｘインチ）／２５．４ｍｍ
但し、表示装置の大きさであるＸインチは、事前に与えられるものとする。
【００３４】
次に、ステップＳ５０３において、紙面枚数Ｎを取得する。但し、紙面枚数は事前に与えられるものとする。
【００３５】
次に、ステップＳ５０４において、紙面枚数Ｎを図１のようにすべて一度に表示したとした場合のタグ１つ当たりの高さ（ドット数）を計算する。タグ表示は、紙面の厚みを表現するため、前のタグと数ドット（固定値）重ねる。ここで、タグが重なる個所は、紙面枚数Ｎ−１個所あり、この重なり分をＶドットとするとタグ重なり分のドット数の合計は［（紙面枚数Ｎ−１）×タグ重複ドットＶ］となる。これを考慮すると、タグ１つ当たりの高さＴＨは次式で計算できる。
タグ高ＴＨ＝｛紙面表示領域高ＳＨ＋［（紙面枚数Ｎ−１）×タグ重複ドットＶ］｝／紙面枚数Ｎ
【００３６】
次に、ステップＳ５０５において、ステップＳ５０４で計算したタグ高ＴＨが１５ｍｍより大きいか否かを判断する。そして、１５ｍｍより大きい場合には、ステップＳ５１３に移行し、ステップＳ５０４で算出したタグ高ＴＨで、図１のように全頁のタグを表示する。一方、１５ｍｍ以下の場合には、ステップＳ５０６へ移行する。タグ高の比較は、先に求めた１ｍｍ当たりのドット数ＤＰＭを用いて、次式により１５ｍｍが何ドットあるかを計算して、タグ高ＴＨと比較する。
【００３７】
１５ｍｍのドット数＝１ｍｍ当たりのドット数ＤＰＭ×１５ｍｍ
タグ高ＴＨが１５ｍｍ以下と判断された場合には、ステップＳ５０６に移行して適切なタグ高を算出する。そのため、タグ高をＨｍｍとした場合の最大表示頁数（グループ頁数Ｐ）を算出する。ここで、タグ高Ｈｍｍは任意のサイズで１５よりも大きいものとする。
【００３８】
この場合、図４に示すように「戻」タグが必要となる。この「戻」タグの高さＭＨは、任意の固定値とするため、グループ頁数Ｐは次式で計算される（計算結果の小数点は以下切り捨てる）。
【００３９】
グループ頁数Ｐ＝｛（紙面表示領域高ＳＨ−戻タグ高ＭＨ）＋［（紙面枚数Ｎ−１）×タグ重複ドットＶ］｝／（Ｈｍｍ×１ｍｍ当たりのドット数ＤＰＭ）
尚、最終的なタグ高ＴＨは、上記計算で端数が出ることを考慮して、次式で再計算する（計算結果の小数点は切り捨てる）。
タグ高ＴＨ＝｛（紙面表示領域高ＳＨ−戻タグ高ＭＨ）＋［（紙面枚数Ｎ−１）×タグ重複ドットＶ］｝／グループ頁数Ｐ
【００４０】
次に、ステップＳ５０７において、総グループ数Ｇを次式により算出する（計算結果の小数点は切り上げる）。
総グループ数Ｇ＝紙面枚数Ｎ／グループ頁数Ｐ
【００４１】
次に、ステップＳ５０８において、総グループ数Ｇからグルーピングタグ高ＧＨを算出する。グルーピングタグ高ＧＨは、次式で算出する。
グルーピングタグ高ＧＨ＝｛紙面表示領域高ＳＨ＋［（紙面枚数Ｎ−１）×タグ重複ドットＶ］｝／総グループ数Ｇ
【００４２】
次に、ステップＳ５０９において、グルーピングタグ表示用に、グルーピングタグカウンタＣＧを０（ゼロ）で初期化する。
【００４３】
そして、ステップＳ５１０において、「グルーピングタグカウンタＣＧ＋１」番目のタグを先に求めたグルーピングタグ高ＧＨの大きさで配置する。このとき２番目以降のタグ配置時は、前のタグにタグ重複ドットＶ分重ねて配置する。
【００４４】
そして、タグのキャプションにグループの範囲を文字として以下のように表示する。
“（グルーピングタグカウンタＣＧ×グループ頁数Ｐ）＋１”−“（グルーピングタグカウンタＣＧ×グループ頁数Ｐ）＋グループ頁数Ｐ”
例えば、グルーピングが５個単位であれば、「１−５」「６−１０」のような表示となる。）キャプション表示後、グルーピングタグカウンタＣＧをインクリメントする。
【００４５】
次に、ステップＳ５１１において、すべてのグルーピングタグを配置したか否かを確認する。グルーピングタグカウンタＣＧがグループ頁数Ｐ以上になっていれば、すべてのグルーピングタグを配置したと判断してステップＳ５１２に移行する。それ以外の場合には、ステップＳ５１０に戻り、次のグルーピングタグを配置する。
【００４６】
最後に、ステップＳ５１２において、１頁目の紙面イメージを紙面表示領域に表示し、この頁を現在表示頁ＮＰとする。その結果、図３のようなグルーピング表示が可能となる。
【００４７】
（２）グルーピングタグの操作
次に、図３に示すようなグルーピングタグをクリックした場合の動作について、図８のフローチャートを用いて説明する。
【００４８】
まず、オペレータがグルーピングタグをクリックすると、ステップＳ８０１へ移行し、クリックされたグループＫＧを取得する。このグループＫＧは、１〜総グループ数Ｇまでの範囲の値となる。
【００４９】
次に、ステップＳ８０２において、頁タグ表示に備え、現在表示されているグルーピングタグをすべて消去する。
【００５０】
次に、ステップＳ８０３において、「戻」タグを高さＭＨ（固定値）の大きさで配置する。この「戻」タグは、再びグルーピング表示に戻る場合に使用する。
【００５１】
次に、ステップＳ８０４において、頁タグを表示するための頁タグカウンタＰＣを０（ゼロ）に初期化する。
【００５２】
次に、ステップＳ８０５において、頁番号ＰＮを作成する。この頁番号は、各頁に対応し、１〜紙面枚数Ｎまでの値を取る。頁番号ＰＮは次式で算出する。
頁番号ＰＮ＝［グループ頁数Ｐ×（グループＫＧ−１）］＋（頁タグカウンタＰＣ＋１）
【００５３】
次に、ステップＳ８０６において、頁タグを先に求めたタグ高ＴＨの大きさで配置する。このとき、２番目以降のタグ配置時は、前のタグにタグ重複ドットＶ分重ねて配置する。
【００５４】
次に、ステップＳ８０７において、現在の頁番号ＰＮの妥当性を調べる。頁番号ＰＮが紙面枚数Ｎ以下の場合には、ステップＳ８０８へ移行して頁タグのキャプションとして頁番号ＰＮを文字で表示し、各頁タグと頁番号ＰＮを対応させる。それ以外の場合には、該当する頁紙面イメージが存在しないことを意味するので、ステップＳ８０９へ移行して頁タグのキャプションをクリアする。尚、ステップＳ８０９へ移行する可能性があるのは、最終グループで紙面枚数Ｎがグループ頁数Ｐの倍数でない場合である。
【００５５】
次に、ステップＳ８１０において、頁タグカウンタＰＣをインクリメントし、ステップＳ８１１でグループ頁数Ｐ個分のタグを配置したか否かを確認する。配置完了の場合には、ステップＳ８１２へ、それ以外の場合には、ステップＳ８０５へ遷移し、次の頁タグを配置する。
【００５６】
最後に、ステップＳ８１２でグループＫＧの最初の頁紙面イメージを表示し、この頁を現在表示頁ＮＰとする。その結果、図４に示すように、グルーピングタグが展開される。
【００５７】
（３）展開されたタグの操作
次に、図４に示すような展開したタグをクリックした場合の動作について、図９のフローチャートを用いて説明する。展開されたタグの操作は、クリックされたタグが「戻タグ」もしくは「頁タグ」によって動作が異なる。
【００５８】
まず、ステップＳ９０１において、このタグ種別を判断し、戻タグであれば、ステップＳ９０２へ、頁タグであれば、ステップＳ９０８へ遷移する。
【００５９】
まず、頁タグをクリックした場合について説明する。この場合には、該当頁の紙面イメージを以下のような動作で表示する。
【００６０】
ステップＳ９０８において、頁タグに対応している頁番号ＰＮを取得し、ステップＳ９０９において、この頁番号ＰＮに該当する紙面イメージを取得し、紙面表示領域に表示する。そして、その頁を現在表示頁ＮＰとする。
【００６１】
次に、戻タグをクリックした場合について説明する。この場合には、以下のような動作でグルーピング表示に戻る。
【００６２】
ステップＳ９０２において、グルーピングタグ表示のため、戻タグとすべての頁タグを消去する。
【００６３】
次に、ステップＳ９０３において、現在表示頁ＮＰからＮＰが所属するグループ番号ＣＵＧを次式で計算する（計算結果の小数点は切り上げる）。
グループ番号ＣＵＧ＝現在表示頁ＮＰ／グループ頁数Ｐ
【００６４】
次に、ステップＳ９０４において、グルーピングタグを配置するためのグルーピングタグカウンタＣＧを０（ゼロ）で初期化する。以下、ステップＳ９０５〜ステップＳ９０６の処理は、図５のステップＳ５１０〜ステップＳ５１１と同じである。
【００６５】
次に、ステップＳ９０５において、「グルーピングタグカウンタＣＧ＋１」番目のタグをグループタグ高ＧＨで配置する。このとき、２番目以降のタグ配置時は、前のタグにタグ重複ドットＶ分重ねて配置する。そして、タグのキャプションにグループの範囲を文字で以下のように表示する。
【００６６】
“（グルーピングタグカウンタＣＧ×グループ頁数Ｐ）＋１”−“（グルーピングタグカウンタＣＧ×グループ頁数Ｐ）＋グループ頁数Ｐ”
例えば、グルーピングが５個単位であれば、「１−５」「６−１０」のように表示する。キャプション表示後、グルーピングタグカウンタＣＧをインクリメントする。
【００６７】
次に、ステップＳ９０６において、すべてのグルーピングタグを表示したか否かを確認する。グルーピングタグカウンタＣＧがグループ頁数Ｐ以上になっていれば、すべてのグルーピングタブを表示したと判断してステップＳ９０７に移行する。それ以外の場合には、ステップＳ９０５に戻り、次のグルーピングタグを配置する。
【００６８】
すべてのグルーピングタグを配置すると、ステップＳ９０７において、グループ番号ＣＵＧの最初の頁紙面イメージを紙面表示領域に表示し、この頁を現在表示頁ＮＰとする。その結果、再び、図３のようなグルーピング表示に戻る。
【００６９】
以上が、本発明にかかる電子書類閲覧装置の頁めくり方法の動作である。尚、上記説明では、頁タグの大きさを自動判別し、グルーピング表示することを説明したが、予めグルーピングの単位（例えば、１０頁ずつグルーピングする等）を設定し、その設定でグルーピング表示することは、本発明を手動化すれば実現可能であり、これもまた本発明の範囲に含まれるものとする。
【００７０】
次に、本発明にかかる電子書類閲覧装置の頁めくり方法の第２の実施の形態について図面を参照して詳細に説明する。
【００７１】
上記実施の形態では、頁タグの大きさを自動的に計算しているが、予めグルーピング数（一つの頁に収める頁数）を決めておき、タグのグルーピングを行うことも可能である。この場合の動作について、図面を用いて詳細に説明する。
【００７２】
（４）アプリケーション起動時のユーザ固定グルーピング化
まず、アプリケーション起動時のユーザ固定グルーピング化について、図１０のフローチャートを用いて説明する。
【００７３】
まず、アプリケーションを起動する前に、固定グルーピング数ＣＳＴＧを決めておく。
【００７４】
ユーザが当該アプリケーションを起動後、まずステップＳ１００１に遷移し、表示装置の縦横ドット数、例えば、７６８ドット×１０２４ドットや、１２００ドット×１６００ドット等を取得し、実際に紙面を表示する領域の高さＳＨをドット数で算出する。このＳＨは、図６に示すように、表示装置の高さＤＹ（表示装置の縦方向ドット）から上下にタイトル等を表示させるための余白「６０×２」ドット（固定値）を引いたものとなる。
【００７５】
次に、ステップＳ１００２に遷移し、予め設定されている固定グルーピング数ＣＳＴＧを取得し、グループ頁数Ｐへ設定する。
【００７６】
次に、ステップＳ１００３において、紙面枚数Ｎを取得する。但し、紙面枚数Ｎは、事前に与えられるものとする。
【００７７】
次に、ステップＳ１００４において、紙面枚数Ｎを図１のようにすべて一度に表示したとした場合のタグ１つ当たりの高さ（ドット数）を計算する。タグ表示は、紙面の厚みを表現するため、前のタグと数ドット（固定値）重ねる。タグが重なる個所は、紙面枚数Ｎ−１個所あり、この重なり分をＶドットとすると、タグ重なり分のドット数の合計は、［（紙面枚数Ｎ−１）×タグ重複ドットＶ］｝となる。これを考慮すると、タグ１つ当たりの高さＴＨは、次式で計算できる。
タグ高ＴＨ＝｛紙面表示領域高ＳＨ＋［（紙面枚数Ｎ−１）×タグ重複ドットＶ］｝／紙面枚数Ｎ
【００７８】
次に、ステップＳ１００５において、紙面枚数Ｎがグループ頁数Ｐよりも大きいか否かを判断する。そして、紙面枚数Ｎがグループ頁数Ｐ以下であれば、ステップＳ１０１３へ遷移し、ステップＳ１００４で算出したタグ高ＴＨで図１のように全頁のタグを表示する。それ以外の場合には、ステップＳ１００６へ移行する。
【００７９】
紙面枚数Ｎがグループ頁数Ｐよりも大きく、タグのグルーピング化が必要な場合には、ステップＳ１００６へ遷移し、各グループ当たりのタグ高ＴＨを計算し直す。この場合、図４に示すように「戻」タグが必要となる。
【００８０】
この「戻」タグの高さＭＨは、任意の固定値とするため、グループ頁数Ｐは、次式で計算される（計算結果の小数点は以下切り捨てる）。
タグ高ＴＨ＝｛（紙面表示領域高ＳＨ−戻タグ高ＭＨ）＋［（紙面枚数Ｎ−１）×タグ重複ドットＶ］｝／グループ頁数Ｐ
【００８１】
次に、ステップＳ１００７において、総グループ数Ｇを次式により算出する（計算結果の小数点は切り上げる）。
総グループ数Ｇ＝紙面枚数Ｎ／グループ頁数Ｐ
【００８２】
次に、ステップＳ１００８において、総グループ数Ｇからグルーピングタグ高ＧＨを算出する。グルーピングタグ高ＧＨは、次式で算出する。
グルーピングタグ高ＧＨ＝｛紙面表示領域高ＳＨ＋［（紙面枚数Ｎ−１）×タグ重複ドットＶ］｝／総グループ数Ｇ
【００８３】
次に、ステップＳ１００９において、グルーピングタグ表示用にグルーピングタグカウンタＣＧを０（ゼロ）で初期化する。
【００８４】
そして、ステップＳ１０１０において、「グルーピングタグカウンタＣＧ＋１」番目のタグを先に求めたグルーピングタグ高ＧＨの大きさで配置する。このとき、２番目以降のタグ配置時は、前のタグにタグ重複ドットＶ分重ねて配置する。
【００８５】
そして、タグのキャプションにグループの範囲を文字として以下のように表示する。
【００８６】
“（グルーピングタグカウンタＣＧ×グループ頁数Ｐ）＋１”−“（グルーピングタグカウンタＣＧ×グループ頁数Ｐ）＋グループ頁数Ｐ”
例えば、グルーピングが５個単位であれば、「１−５」「６−１０」のような表示となる。キャプション表示後、グルーピングタグカウンタＣＧをインクリメントする。
【００８７】
次に、ステップＳ１０１１において、すべてのグルーピングタグを配置したか否かを確認する。グルーピングタグカウンタＣＧがグループ頁数Ｐ以上になっていれば、すべてのグルーピングタグを配置したと判断し、ステップＳ１０１２に移行する。それ以外の場合には、ステップＳ１０１０に戻り、次のグルーピングタグを配置する。
【００８８】
最後に、ステップＳ１０１２において、１頁目の紙面イメージを紙面表示領域に表示し、この頁を現在表示頁ＮＰとする。その結果、図３のようなグルーピング表示が可能となる。尚、実際のタグ操作は、上述の第１実施の形態における（２）グルーピングタグの操作、及び（３）展開されたタグの操作と同じである。
【００８９】
【発明の効果】
以上説明したように、本発明によれば、総頁数が増大しても、無理なく操作することができ、閲覧したい頁を迅速に表示することができる電子書類閲覧装置の頁めくり方法等を提供することができる。
【図面の簡単な説明】
【図１】電子新聞に頁タグを付加した状態を示すイメージ図である。
【図２】図１の状態から１枚めくった状態を示すイメージ図である。
【図３】本発明適用時のグルーピング表示状態を示すイメージ図である。
【図４】本発明適用時のグルーピングタグを展開した状態を示すイメージ図である。
【図５】本発明にかかる電子書類閲覧装置の頁めくり方法の第１の実施の形態の動作を示すフローチャートである。
【図６】本発明にかかる電子書類閲覧装置の頁めくり方法の画面上の紙面表示領域の説明図である。
【図７】本発明にかかる電子書類閲覧装置の頁めくり方法における画面サイズ算出のための説明図である。
【図８】本発明にかかる電子書類閲覧装置の頁めくり方法の第１及び第２の実施の形態の動作を示すフローチャートである。
【図９】本発明にかかる電子書類閲覧装置の頁めくり方法の第１及び第２の実施の形態の動作を示すフローチャートである。
【図１０】本発明にかかる電子書類閲覧装置の頁めくり方法の第２の実施の形態の動作を示すフローチャートである。
【図１１】本発明にかかる電子新聞閲覧装置のブロック図である。
【符号の説明】
１１０１            イメージ受信部
１１０２            イメージデコード部
１１０３            イメージライブラリ
１１０４            操作解析部
１１０５            描画部
１１０６            メイン処理部
【図１】
2005010979.tif 000004
【図２】
2005010979.tif 000005
【図３】
2005010979.tif 000006
【図４】
2005010979.tif 000007
【図５】
2005010979.tif 000008
【図６】
2005010979.tif 000009
【図７】
2005010979.tif 000010
【図８】
2005010979.tif 000011
【図９】
2005010979.tif 000012
【図１０】
2005010979.tif 000013
【図１１】
2005010979.tif 000014